(57)【要約】【課題】測定光を適切に組織に照射することが可能なＯＣＴ装置を提供する。【解決手段】ＯＣＴ装置１は、ＯＣＴ光源１１、カップラー１２、走査部２０、照射光学系３０、およびモード切替部２３を備える。ＯＣＴ光源１１はＯＣＴ光を出射する。カップラー１２は、ＯＣＴ光を測定光と参照光に分岐すると共に、被検体の組織によって反射された測定光を、参照光と合波して干渉させる。走査部２０は、測定光を偏向する。照射光学系３０は、走査部２０によって偏向された測定光を被検体に照射する。検出器は、合波光学素子によって生成された干渉光を受光することで干渉信号を検出する。モード切替部２３は、被検体に対する測定光の照射方式が異なる複数の照射モードを切り替える。照射光学系３０は、非球面形状が偶数次のみの多項式で表現される少なくとも２つの偶数次非球面レンズ３１，３３を備える。【選択図】図１
2019080867.tif 000002
【特許請求の範囲】
【請求項１】
被検体の組織のＯＣＴデータを取得するＯＣＴ装置であって、
ＯＣＴ光源と、
前記ＯＣＴ光源から出射された光を測定光と参照光に分岐する分岐光学素子と、
前記分岐光学素子によって分岐された前記測定光を偏向する走査部と、
前記走査部と前記被検体の間に配置され、前記走査部によって偏向された前記測定光を前記被検体に照射する照射光学系と、
前記被検体の組織によって反射された前記測定光と、前記分岐光学素子によって分岐された前記参照光を合波して干渉させる合波光学素子と、
前記被検体に対する前記測定光の照射方式が異なる複数の照射モードを切り替えるモード切替部と、
を備え、
前記照射光学系は、
非球面形状が偶数次のみの多項式で表現される偶数次非球面レンズである第１非球面レンズおよび第２非球面レンズを備えたことを特徴とするＯＣＴ装置。
【請求項２】
請求項１に記載のＯＣＴ装置であって、
前記複数の照射モードは、第１照射モードおよび第２照射モードを含み、
前記第１非球面レンズの光学面のうち、光軸を中心とした前記測定光の通過領域を第１レンズ通過領域とした場合に、前記第１照射モードにおける前記第１レンズ通過領域が、前記第２照射モードにおける前記第１レンズ通過領域よりも狭く、且つ、
前記第２非球面レンズの光学面のうち、光軸を中心とした前記測定光の通過領域を第２レンズ通過領域とした場合に、前記第１照射モードにおける前記第２レンズ通過領域が、前記第２照射モードにおける前記第２レンズ通過領域よりも広いことを特徴とするＯＣＴ装置。
【請求項３】
請求項１または２に記載のＯＣＴ装置であって、
前記照射光学系は、少なくとも１つの負レンズをさらに備えたことを特徴とするＯＣＴ装置。
【請求項４】
請求項１から３のいずれかに記載のＯＣＴ装置であって、
前記モード切替部は、前記測定光の光路上における前記走査部と前記照射光学系の間の相対位置を変位させることで、前記複数の照射モードを切り替えることを特徴とするＯＣＴ装置。
【請求項５】
請求項１から４のいずれかに記載のＯＣＴ装置であって、
前記複数の照射モードは、
被検体である眼の眼底を含む第１深さ領域のＯＣＴデータを取得する眼底照射モードと、
前記眼の前眼部を含む第２深さ領域のＯＣＴデータを取得する前眼部照射モードと、
を含むことを特徴とするＯＣＴ装置。
【請求項６】
請求項１から５のいずれかに記載のＯＣＴ装置であって、
前記ＯＣＴ光源は、出射波長を時間的に掃引させたレーザ光を出射する波長掃引光源であることを特徴とするＯＣＴ装置。
【発明の詳細な説明】
【技術分野】
【０００１】
本開示は、被検体の組織に測定光を照射し、組織によって反射された反射光を受光することで、光コヒーレンストモグラフィ（ＯＣＴ）の原理に基づいて組織に関する情報を取得する眼科用医療装置に関する。
【背景技術】
【０００２】
従来、被検体（例えば、被検眼等）の組織に測定光を照射し、測定光の反射光と参照光によって組織に関する情報（例えば、組織の断層画像のデータ、血管形態画像のデータ、および組織の変形量等の少なくともいずれか）を取得する技術が知られている。例えば、特許文献１に記載の眼科撮影装置は、被検眼の第１深度帯で測定光を旋回させる照射モードと、被検眼の第２深度帯で測定光を旋回させる照射モードを切り替えることで、深度帯が異なる２以上の部位についての断層像を得る。
【先行技術文献】
【特許文献】
【０００３】
【特許文献１】特開２０１６−２０９５７７号公報
【発明の概要】
【発明が解決しようとする課題】
【０００４】
複数の照射モードを切り替えるＯＣＴ装置では、それぞれの照射モードにおいて測定光が適切に組織に照射されるように、測定光を照射する照射光学系が構成される必要がある。そのため、照射モードを切り替える従来のＯＣＴ装置では、測定光を適切に照射するために、照射光学系に多数のレンズが使用されていた。多数のレンズを使用する場合、レンズ面による測定光の反射光の影響を抑制することが困難となる。また、構成の小型化等も難しい。
【０００５】
本開示は、測定光を適切に組織に照射することが可能なＯＣＴ装置を提供することである。
【課題を解決するための手段】
【０００６】
本開示における典型的な実施形態が提供するＯＣＴ装置は、被検体の組織のＯＣＴデータを取得するＯＣＴ装置であって、ＯＣＴ光源と、前記ＯＣＴ光源から出射された光を測定光と参照光に分岐する分岐光学素子と、前記分岐光学素子によって分岐された前記測定光を偏向する走査部と、前記走査部と前記被検体の間に配置され、前記走査部によって偏向された前記測定光を前記被検体に照射する照射光学系と、前記被検体の組織によって反射された前記測定光と、前記分岐光学素子によって分岐された前記参照光を合波して干渉させる合波光学素子と、前記被検体に対する前記測定光の照射方式が異なる複数の照射モードを切り替えるモード切替部と、を備え、前記照射光学系は、非球面形状が偶数次のみの多項式で表現される偶数次非球面レンズである第１非球面レンズおよび第２非球面レンズを備える。
【０００７】
本開示におけるＯＣＴ装置によると、測定光が適切に組織に照射される。
【図面の簡単な説明】
【０００８】
【図１】眼底照射モード中のＯＣＴ装置１の全体構成を示す図である。
【図２】前眼部照射モード中のＯＣＴ装置１の全体構成を示す図である。
【図３】眼底照射モードにおいて光軸から最も離間する光路を測定光が通過する場合の、照射光学系３０と測定光の光路の関係を模式的に示す図である。
【図４】前眼部照射モードにおいて光軸から最も離間する光路を測定光が通過する場合の、照射光学系３０と測定光の光路の関係を模式的に示す図である。
【発明を実施するための形態】
【０００９】
＜概要＞
本開示で例示するＯＣＴ装置は、ＯＣＴ光源、分岐光学素子、走査部、照射光学系、合波光学素子、およびモード切替部を備える。ＯＣＴ光源は、被検体の組織のＯＣＴデータを取得するためのＯＣＴ光を出射する。分岐光学素子は、ＯＣＴ光源から出射された光を測定光と参照光に分岐する。走査部は、分岐光学素子によって分岐された測定光を偏向する。照射光学系は、走査部と被検体の間の測定光の光路上に配置されている。照射光学系は、走査部によって偏向された測定光を被検体に照射する。合波光学素子は、被検体の組織によって反射された測定光と、分岐光学素子によって分岐された参照光を合波して干渉させる。モード切替部は、被検体に対する測定光の照射方式が異なる複数の照射モードを切り替える。照射光学系は、非球面形状が偶数次のみの多項式で表現される偶数次非球面レンズを少なくとも２つ備える。
【００１０】
本開示に係るＯＣＴ装置によると、少なくとも２つの偶数次非球面レンズが使用されることで、照射光学系のレンズの数が容易に抑制された状態で、複数の照射モードの各々に対して光学設計が最適化される。従って、レンズ面による測定光の反射光の影響が生じにくく、且つ、照射光学系の構成の小型化等も容易である。よって、複数の照射モードの各々における測定光の照射が適切に行われる。
【００１１】
なお、照射光学系は、第１非球面レンズおよび第２非球面レンズ以外の偶数次非球面レンズをさらに備えることも可能である。ただし、照射光学系のレンズの数が少ない方が、レンズ面による測定光の反射光の影響は生じにくい。よって、照射光学系に設けられる偶数次非球面レンズの数は、３つ以上でも良いが、２つであることがより望ましい。
【００１２】
また、ＯＣＴ装置は、合波光学素子によって生成された干渉光を受光することで干渉信号を検出する検出器を備えていてもよい。ＯＣＴ装置は、装置の制御を司る制御部を備えていてもよい。この場合、ＯＣＴデータが適切に取得される。
【００１３】
複数の照射モードには、第１照射モードと第２照射モードが含まれていてもよい。第１非球面レンズの光学面のうち、第１非球面レンズの光軸を中心とした測定光の通過領域を第１レンズ通過領域とした場合に、第１照射モードにおける第１レンズ通過領域が、第２照射モードにおける第１レンズ通過領域よりも狭くてもよい。また、第２非球面レンズの光学面のうち、第２非球面レンズの光軸を中心とした測定光の通過領域を第２レンズ通過領域とした場合に、第１照射モードにおける第２レンズ通過領域が、第２照射モードにおける第２レンズ通過領域よりも広くてもよい。つまり、２つの照射モードの間で、測定光を通過させる第１非球面レンズおよび第２非球面レンズの各々の光学面の領域の大小関係が入れ替わってもよい。なお、通過領域とは、それぞれの照射モードで測定光の光線がケラれずに利用されるレンズの有効径と表現することもできる。
【００１４】
この場合、第１照射モードでは、光軸から離間した位置に測定光を走査させる際に、第２非球面レンズの非球面による収差補正等の効果が大きくなる。逆に、第２照射モードでは、光軸から離間した位置に測定光を走査させる際に、第１非球面レンズの非球面による効果が大きくなる。従って、第１照射モードおよび第２照射モードの各々における測定光の照射が、２つの偶数次非球面レンズによってより適切に実行される。
【００１５】
照射光学系は、少なくとも１つの負レンズを備えていてもよい。この場合、照射光学系の設計がより容易になる。一例として、照射光学系に負レンズを設けることで、測定光の収差（例えば、歪曲収差および色収差等の少なくともいずれか）の増加を抑制しつつ、集光面を容易に調整することができる。
【００１６】
なお、負レンズは、第１非球面レンズと第２非球面レンズの間の測定光の光路上に配置されていてもよい。この場合には、例えば、複数の偶数次非球面レンズよりもＯＣＴ光源側の測定光の光路上等に負レンズが配置される場合に比べて、レンズの形状を小型化することが容易である。
【００１７】
モード切替部は、測定光の光路上における走査部と照射光学系の間の相対位置を変位させることで、複数の照射モードを切り替えてもよい。この場合、測定光が旋回される光軸上の位置が、モード切替部によって変更される。よって、測定光の照射方式が異なる複数の照射モードが、より適切に切り換えられる。
【００１８】
なお、測定光の光路上における走査部と照射光学系の間の相対位置を変位させるための具体的な方法は、適宜選択できる。例えば、モード切替部は、走査部と照射光学系の間の光路を、光路長が互いに異なる第１光路と第２光路の間で切り替えてもよい。この場合、モード切替部は、光路上に光学部材を挿脱することで、第１光路と第２光路を切り替えてもよい。また、モード切替部は、走査部を光軸方向に移動させることで、走査部と照射光学系の相対位置を変位させてもよい。
【００１９】
また、走査部と照射光学系の相対位置を変位させずに照射モードを切り替えることも可能である。例えば、モード切替部は、測定光の光路上にレンズを挿脱させることで、照射モードを切り替えてもよい。
【００２０】
複数の照射モードには、眼底照射モードと前眼部照射モードが含まれていてもよい。眼底照射モードは、被検体である眼の眼底を含む第１深さ領域（第１深度帯）のＯＣＴデータを取得する照射モードである。前眼部照射モードは、眼の前眼部を含む第２深さ領域（第２深度帯）のＯＣＴデータを取得する照射モードである。この場合、被検眼の眼底と前眼部の各々のＯＣＴデータが、レンズ面による測定光の反射の影響が抑制された状態で適切に得られる。
【００２１】
なお、眼底照射モードおよび前眼部照射モード以外のモードが設けられていてもよい。例えば、「被検体に対する測定光の照射方式が異なる複数の照射モード」は、レンズ面における各光線高さから被検体へ照射される各光線の光軸に対する角度、参照光と測定光の光路長差がゼロとなる位置、開口数ＮＡ、および集光面の位置等の少なくともいずれか互いに異なっていてもよい。一例として、画角が互いに異なる複数の照射モードが設けられていてもよい。また、照射光学系から前眼部に向けて光軸に平行に測定光を照射するテレセントリック照射モードと、照射光学系から前眼部への測定光の入射角度が走査に応じて変化する非テレセントリック照射モードが設けられていてもよい。
【００２２】
ＯＣＴ光源は、出射波長を時間的に掃引させたレーザ光を出射する波長掃引光源であってもよい。つまり、ＯＣＴ装置は、ＳＳ−ＯＣＴ（Ｓｗｅｐｔ  Ｓｏｕｒｃｅ−Ｏｐｔｉｃａｌ  Ｃｏｈｅｒｅｎｃｅ  Ｔｏｍｏｇｒａｐｈｙ）の原理を用いて組織のＯＣＴデータを取得してもよい。ＳＳ−ＯＣＴの原理を用いる場合、ＯＣＴ光源の外部共振器の長さをＬとすると、長さＬ毎に全ての波長の光が節になる特異点が存在する。レンズのレンズ面によって測定光が反射されてノイズとなると、ノイズは、実際の反射面だけでなく、実際の反射面から長さＬの整数倍離れた位置にも輝点の偽信号として現れる。この現象は、コヒーレンスリバイバルと言われる。測定光が反射し得るレンズの数が多い程、コヒーレンスリバイバルの影響は現れやすくなる。しかし、本開示に係るＯＣＴ装置によると、照射光学系のレンズの数を容易に抑制することができる。よって、コヒーレンスリバイバルの影響が抑制された状態で、ＳＳ−ＯＣＴの原理によるＯＣＴデータの取得が適切に行われる。
【００２３】
ただし、波長掃引光源以外のＯＣＴ光源が用いられてもよい。例えば、ＯＣＴ光源として低コヒーレント光源（広帯域光源）が使用されると共に、ＳＤ−ＯＣＴの原理によってＯＣＴデータが取得されてもよい。測定光が反射し得るレンズ面が多いと、信号光量の低下に繋がる。また、オートコリレーションにより検出器のノイズレベルを上昇させてしまうことで検出器のダイナミックレンズが十分に利用されず、感度が低下し得る。これらの影響が、本開示に係るＯＣＴ装置によると適切に抑制される。
【００２４】
＜実施形態＞
以下、本開示における典型的な実施形態の１つについて、図面を参照して説明する。一例として、本実施形態のＯＣＴ装置１は、被検眼Ｅの組織のＯＣＴデータを取得する眼科用のＯＣＴ装置である。しかし、本実施形態で例示する技術の少なくとも一部は、被検眼Ｅ以外の被検体（例えば、皮膚、消化器、脳等）の組織のＯＣＴデータを取得するＯＣＴ装置にも適用できる。また、ＯＣＴデータとは、光コヒーレンストモグラフィ（ＯＣＴ）の原理に基づいて取得されるデータである。取得されるＯＣＴデータは、例えば、組織の断層画像のデータ、組織の動きを示すモーションコントラストデータ等の少なくともいずれかであってもよい。
【００２５】
図１および図２を参照して、本実施形態のＯＣＴ装置１の全体構成について説明する。ＯＣＴ装置１は、ＯＣＴ光源１１、カップラー１２、測定光学系１３、参照光学系４０、検出器４２、および制御ユニット５０を備える。
【００２６】
ＯＣＴ光源１１は、ＯＣＴデータを取得するための光（ＯＣＴ光）を出射する。本実施形態のＯＣＴ光源１１は、出射波長を時間の経過と共に高速で掃引させたレーザ光を出射する波長掃引光源（ＳＳ光源）である。波長掃引光源１１は、例えば、レーザ媒体、共振器、および波長選択フィルタを備えてもよい。波長選択フィルタには、例えば、回折格子とポリゴンミラーの組み合わせ、または、ファブリー・ペローエタロンを用いたフィルタ等が用いられてもよい。本実施形態では、波長掃引光源が用いられることで、Ｓｗｅｐｔ−Ｓｏｕｒｃｅ−ＯＣＴ（ＳＳ−ＯＣＴ）の原理によってＯＣＴデータが取得される。ＳＳ−ＯＣＴでは、コヒーレンスリバイバルによるノイズが発生し得る。しかし、本実施形態のＯＣＴ装置１では、後述する照射光学系３０に複数の偶数次非球面レンズ（第１非球面レンズ３１および第２非球面レンズ３３）が設けられることで、照射光学系３０におけるレンズの数の増加が抑制されている。その結果、コヒーレンスリバイバルによる影響が抑制されている。
【００２７】
ただし、波長掃引光源以外の光源（例えば、ＳＤ−ＯＣＴにおいて用いられる低コヒーレント光源等）が、ＯＣＴ光源１１に用いられてもよい。また、ＯＣＴ装置１は、ＦＤ−ＯＣＴでなく、ＴＤ−ＯＣＴであってもよい。
【００２８】
カップラー１２は、ＯＣＴ光源１１から出射されたＯＣＴ光を、測定光と参照光に分割する。また、本実施形態のカップラー１２は、被検体によって反射された測定光と、参照光学系４０によって生成された参照光を合波して干渉させる。つまり、本実施形態のカップラー１２は、ＯＣＴ光を測定光と参照光に分岐する分岐光学素子と、測定光の反射光と参照光を合波する合波光学素子を兼ねる。
【００２９】
ただし、分岐光学素子と合波光学素子の構成を変更することも可能である。例えば、分岐光学素子と合波光学素子が別で設けられていてもよい。カップラー１２以外の光学素子（例えばビームスプリッタ等）が、分岐光学素子および合波光学素子の少なくともいずれかとして使用されてもよい。
【００３０】
測定光学系１３は、カップラー１２によって分岐された測定光を偏向させつつ被検体（被検眼Ｅ）の組織に照射すると共に、被検眼Ｅの組織によって反射された測定光の反射光をカップラー１２に戻す。また、本実施形態の測定光学系１３は、光学配置を切り替えることで、測定光の照射方式が異なる複数の照射モードを切り替えることができる。一例として、本実施形態における照射モードには、被検眼Ｅの眼底を含む第１深さ領域のＯＣＴデータを取得する眼底照射モードと、被検眼Ｅの前眼部を含む第２深さ領域のＯＣＴデータを取得する前眼部照射モードが設けられている。図１は、眼底照射モード中のＯＣＴ装置１の全体構成を示す。図２は、前眼部照射モード中のＯＣＴ装置１の全体構成を示す。
【００３１】
なお、眼底照射モードおよび前眼部照射モード以外の照射モードが設けられていてもよい。例えば、画角が互いに異なる複数の照射モードが設けられていてもよい。また、被検眼Ｅに向けて光軸に平行に測定光が照射されるテレセントリック照射モードと、被検眼への測定光の入射角度が走査に応じて変化する非テレセントリック照射モードが設けられていてもよい。
【００３２】
測定光学系１３は、コリメータレンズ１４、光束径調節部１６、集光位置可変光学系（集光位置可変レンズ系）１８、走査部２０、モード切替部２３、ミラー２４，２５、および照射光学系３０を備える。
【００３３】
コリメータレンズ１３は、カップラー１２から延びる光ファイバの端部から出射される測定光を、平行光とする（コリメートする）。光束径調節部１６は、コリメータレンズ１３と走査部２０の間の測定光の光路上に設けられており、測定光の光束径を調節（変更）する。本実施形態の光束径調節部１６は、可変ビームエクスパンダであり、２つのレンズ１６Ａ，１６Ｂと駆動部１６Ｃを備える。駆動部１６Ｃは、２つのレンズ１６Ａ，１６Ｂの間の光軸方向における距離を変更することで、測定光の光束径および開口数ＮＡを調節する。詳細には、本実施形態の駆動部１６Ｃは、２つのレンズ１６Ａ，１６Ｂのうち、光路の下流側のレンズ１６Ｂを光軸方向に移動させる。なお、光束径調節部１６の構成を変更することも可能である。例えば、挿脱機構によって光路上に挿脱可能なアパーチャ、または、開口の径を調整可能な可変アパーチャ等が、光束径調節部として用いられてもよい。照射モードが切り替えられると、測定光の光束径は、照射モードに応じて適宜調節される。
【００３４】
集光位置可変光学系１８は、測定光の集光位置を、光軸方向に変化させる。本実施形態の集光位置可変光学系１８は、光束径調整部１６と走査部２０の間の測定光の光路上に設けられている。しかし、集光位置可変光学系１８の位置を変更することも可能である。集光位置可変光学系１８は、光軸方向に関して測定光の集光位置を定めるフォーカス光学系を構成する。フォーカス光学系は、単独のレンズで構成されてもよいし、複数の光学素子によって構成されてもよい。一例として、本実施形態では、焦点距離を変更可能な可変焦点レンズ（例えば液晶レンズ、非線形光学部材、分子部材、回転非対称な光学部材等の少なくともいずれか）が集光位置可変光学系１８として使用されている。しかし、集光位置可変光学系１８の構成を変更することも可能である。例えば、集光位置可変光学系１８は、光軸方向へレンズを移動させることで集光位置を変化させてもよいし、光路上にレンズを挿脱させることで集光位置を変化させてもよい。照射モードが切り替えられると、集光位置は照射モードに応じて適宜調節される。
【００３５】
走査部２０は、測定光を走査するために、カップラー１２によって分岐された測定光を偏向する。一例として、本実施形態の走査部２０は、２つのガルバノミラー２１Ａ，２２Ａを備える。ガルバノミラー２１Ａは、駆動部２１Ｂによって駆動されることで、光軸に垂直なＸ方向に測定光を走査する。ガルバノミラー２２Ａは、駆動部２２Ｂによって駆動されることで、光軸およびＸ方向に共に垂直なＹ方向に測定光を走査する。なお、走査部２０の構成を変更することも可能である。例えば、ＭＥＭＳスキャナ、レゾナントスキャナ、ポリゴンミラー、音響光学素子等の少なくともいずれかが走査部２０に用いられてもよい。
【００３６】
モード切替部２３は、被検眼Ｅに対する測定光の照射方式が異なる複数の照射モードを切り替える。一例として、本実施形態のモード切替部２３は、測定光の光路上における走査部２０と照射光学系３０の間の相対位置（相対距離）を変化させることで、複数の照射モードを切り替える。詳細には、本実施形態のモード切替部２３は、ミラー２３Ａと駆動部２３Ｂを備える。駆動部２３Ｂは、測定光の光路上にミラー２３Ａを挿脱する。図１に示す眼底照射モード中には、ミラー２３Ａは光路上に配置される。この場合、走査部２０から出射された測定光は、ミラー２３Ａによって反射されて、照射光学系３０を通過し、被検眼Ｅに照射される。一方で、図２に示す前眼部照射モード中には、ミラー２３Ａは光路上から外される。この場合、走査部２０から出射された測定光は、固定配置されたミラー２４およびミラー２５によって反射されて、照射光学系３０を通過し、被検眼Ｅに照射される。以上のように、本実施形態のモード切替部２３は、光路上にミラー２３Ａを挿脱することで、走査部２０と照射光学系３０の間の光路を、眼底照射モード用の第１光路（図１参照）と、前眼部照射モード用の第２光路（図２参照）の間で切り替える。
【００３７】
なお、照射モードを切り替える方法を変更することも可能である。例えば、モード切替部は、照射光学系３０に対する走査部２０の位置を光軸方向に移動させることで、走査部２０と照射光学系３０の相対位置を変化させてもよい。モード切替部は、光路上に設けられた光学部材（例えばミラー等）を光軸方向に移動させることで、走査部２０と照射光学系３０の光路上の相対位置を変化させてもよい。また、モード切替部は、測定光の光路上にレンズを挿脱させることで、照射モードを切り替えてもよい。
【００３８】
照射光学系３０は、走査部２０と被検眼Ｅの間の測定光の光路上に配置されており、走査部２０によって偏向された測定光を被検眼Ｅに照射する。照射光学系２０は、少なくとも２つの偶数次非球面レンズ（本実施形態では、第１非球面レンズ３１および第２非球面レンズ３３）を備える。照射光学系３０の詳細な説明については後述する。
【００３９】
参照光学系４０は、参照光を生成してカップラー１２に戻す。参照光は、被検眼Ｅの組織によって反射された測定光の反射光と合波される光である。本実施形態の参照光学系４０は、カップラー１２によって分割された参照光を反射光学系（例えば、参照ミラー）によって反射させることで、参照光を生成する。しかし、参照光学系４０の構成も変更できる。例えば、参照光学系４０は、カップラー１２から入射した光を反射させずに透過させて、カップラー１２に戻してもよい。参照光学系４０は、測定光と参照光の光路長差を変更する光路長差調整部４１を備える。本実施形態では、参照ミラーが光軸方向に移動されることで、光路長差が変更される。なお、光路長差を変更するための構成は、測定光学系１３の光路中に設けられていてもよい。照射モードが切り替えられると、測定光と参照光の光路長差は、照射モードに応じて適宜変更される。
【００４０】
検出器４２は、測定光と参照光の干渉信号を検出する。本実施形態では、フーリエドメインＯＣＴの原理が採用されている。フーリエドメインＯＣＴでは、干渉光のスペクトル強度（スペクトル干渉信号）が検出器４２によって検出され、スペクトル強度データに対するフーリエ変換によって複素ＯＣＴ信号が取得される。前述したように、本実施形態では、フーリエドメインＯＣＴの一例として、ＳＳ−ＯＣＴが採用されている。しかし、ＳＤ−ＯＣＴ等が採用されてもよい。ＳＤ−ＯＣＴの場合、干渉光の光路における検出器４２の近傍には、干渉光を各周波数成分（各波長成分）に分光する分光光学系（スペクトロメータ）が設けられてもよい。
【００４１】
制御ユニット５０は、ＯＣＴ装置１の各種制御を司る。制御ユニット５０は、ＣＰＵ５１、ＲＡＭ５２、ＲＯＭ５３、および不揮発性メモリ（ＮＶＭ）５４を備える。ＣＰＵ５１は各種制御を行うコントローラである。ＲＡＭ５２は各種情報を一時的に記憶する。ＲＯＭ５３には、ＣＰＵ５１が実行するプログラム、および各種初期値等が記憶されている。ＮＶＭ５４は、電源の供給が遮断されても記憶内容を保持できる非一過性の記憶媒体である。制御ユニット５０には、ＯＣＴ光源１１、各種駆動部（例えば、駆動部１６Ｃ，２１Ｂ，２２Ｂ，２３Ｂ等）、光路長差調整部４１、検出器４２等が接続されている。また、制御ユニット５０には、モニタおよび操作部等（図示せず）が接続されている。なお、制御ユニット５０は、ＯＣＴ装置１以外のデバイス（例えばパーソナルコンピュータ等）に設けられていてもよい。
【００４２】
図３および図４を参照して、本実施形態における照射光学系３０の構成について詳細に説明する。図３は、眼底照射モードにおいて光軸から最も離間する光路を測定光が通過する場合の、照射光学系３０と測定光の光路の関係を模式的に示す図である。図４は、前眼部照射モードにおいて光軸から最も離間する光路を測定光が通過する場合の、照射光学系３０と測定光の光路の関係を模式的に示す図である。なお、照射光学系３０と測定光の光路の関係の理解を容易にするために、図３および図４では、走査部２０と照射光学系３０の間の部材（モード切替部２３、ミラー２４、およびミラー２５）の図示を省略している。
【００４３】
照射光学系３０は、少なくとも２つの偶数次非球面レンズを備える。偶数次非球面レンズとは、レンズ面の非球面形状が偶数次のみの多項式で表現される非球面レンズである。例えば、ｘｉを面頂点からの光軸方向の偏位量、ｒｉを基準球面（光軸近傍の接球面）の曲率半径、ｈｉを光軸からの高さ、Ａｉ，Ｂｉ，Ｃｉ，・・・を非球面係数とした場合に、偶数次非球面の非球面形状は以下（数１）のように表されてもよい。
【数１】
2019080867.tif 000003
【００４４】
偶数次非球面レンズのレンズ面は、光軸に近づく程球面形状に近くなり、光軸から遠ざかるほど球面形状から遠ざかる。従って、偶数次非球面レンズでは、光軸から遠ざかる程、非球面による収差補正等の効果は、光軸から遠ざかる程大きくなる。本実施形態では、２つの偶数次非球面レンズ（第１非球面レンズ３１および第２非球面レンズ３３）が照射光学系３０に設けられている。第１非球面レンズ３１は、第２非球面レンズ３３よりも測定光の光路の上流側（ＯＣＴ光源１１に近い側）に配置されている。
【００４５】
照射光学系３０は、負の屈折力を有する負レンズ３２を備える。その結果、測定光の収差（例えば、歪曲収差および色収差等の少なくともいずれか）の増加を抑制しつつ、集光面を容易に調整することができる。詳細には、本実施形態の負レンズ３２は、第１非球面レンズ３１と第２非球面レンズ３３の間の測定光の光路上に配置されている。この場合、例えば、第１非球面レンズ３１よりも光路の上流側等に負レンズ３２が配置される場合に比べて、レンズの形状を小型化することが容易である。
【００４６】
それぞれの照射モードにおける、照射光学系３０と測定光の光路の関係について説明する。前述したように、図３および図４では、測定光の光路を、光軸から最も離間する光路とする場合を示す。図３に示す眼底照射モードでは、測定光は、第１非球面レンズ３１における光軸の近傍を通過した後、第２非球面レンズ３３のうち光軸から離間した位置を通過する。一方で、図４に示す前眼部照射モードでは、測定光は、第１非球面レンズ３１のうち光軸から離間した位置を通過した後、第２非球面レンズ３３における光軸の近傍を通過する。つまり、第１非球面レンズ３１のうち、光軸を中心とした測定光の通過領域を第１レンズ通過領域とした場合に、眼底照射モードにおける第１レンズ通過領域３１Ｒ（図３参照）は、前眼部照射モードにおける第１レンズ通過領域３１Ｆ（図４参照）よりも狭い。また、第２非球面レンズ３１のうち、光軸を中心とした測定光の通過領域を第２レンズ通過領域とした場合に、眼底照射モードにおける第２レンズ通過領域３３Ｒは、前眼部照射モードにおける第２レンズ通過領域３３Ｆよりも広い。換言すると、２つの照射モードの間で、測定光を通過させる第１非球面レンズ３１および第２非球面レンズ３３の各々の光学面の領域の大小関係が入れ替わる。
【００４７】
この場合、眼底照射モードでは、第１非球面レンズ３１の非球面よりも、第２非球面レンズ３３の非球面による収差補正等の効果が大きくなる。逆に、前眼部照射モードでは、第２非球面レンズ３３の非球面よりも、第１非球面レンズ３１の非球面による効果が大きくなる。従って、２つの照射モードの各々における測定光の照射が、第１非球面レンズ３１および第２非球面レンズ３３によって適切に実行される。
【００４８】
ここで、複数の照射モードを切り替えるＯＣＴ装置の照射光学系として、一般的には、単一の偶数次非球面レンズを用いた照射光学系、または、球面レンズのみを用いた照射光学系が考えられる。しかし、ＯＣＴ装置等において使用される屈折力の大きな非球面レンズでは、僅かな光線の通り方の違いが性能の大幅な劣化に繋がる。複数の照射モードを切り替えるＯＣＴ装置の照射光学系に、単一の偶数次非球面レンズを用いる場合、１つの照射モードで最適化された偶数次非球面レンズが、他の照射モードにおける性能の劣化に繋がってしまう。特に、硝材が限定されることから、単一の偶数次非球面レンズでは、倍率色収差、歪曲収差、非点収差の補正には限界がある。他方で、球面レンズのみを用いる場合、収差を抑えることは可能であるが、使用する球面レンズの数が多くなるうえに、収差を抑えた光学設計のためには屈折角を小さくする必要があり、各光線が各面の法線に近くなる設計となり易い。その結果、各面で測定光が反射され易くなる。これに対し、本実施形態のＯＣＴ装置１によると、少なくとも２つの偶数次非球面レンズが用いられることで、レンズの数の増加を容易に抑制しつつ、複数の照射モードの各々に対して光学設計を最適化することができる。
【符号の説明】
【００４９】
１    ＯＣＴ装置
１１    ＯＣＴ光源
１２    カップラー
２０    走査部
２３    モード切替部
３０    照射光学系
３１    第１非球面レンズ
３２    負レンズ
３３    第２非球面レンズ
４０    参照光学系
４２    検出器
５１    ＣＰＵ
【図１】
2019080867.tif 000004
【図２】
2019080867.tif 000005
【図３】
2019080867.tif 000006
【図４】
2019080867.tif 000007